(57)【特許請求の範囲】
【請求項１】
水石鹸を貯留する水石鹸タンクの収納構造であって、
前記水石鹸タンクが、消耗品又は／及び廃棄物を収納し、開閉扉を有する収納部に収納され、
前記開閉扉は、下側が軸支され、上側が手前側に倒されたときに前記収納部が斜め上方に開放される半開放位置と、前記半開放位置から手前側に引き上げられることにより前記収納部から離脱して取り外されて前記収納部の前面全体が開放される完全開放位置と、をとるように、前記収納部の前面を閉止し、
前記収納部には、前記廃棄物を受けるゴミ箱が前記水石鹸タンクと近接して並んで収納され、
前記水石鹸タンク及び前記ゴミ箱は、前記開閉扉の前記半開放位置において、前記収納部の斜め上方から視認可能にされていることを特徴とする水石鹸タンクの収納構造。
【請求項２】
前記ゴミ箱の上方に、前記廃棄物を投入するための投入口が前方に向けて常時開口するように設けられている請求項１に記載の水石鹸タンクの収納構造。
【請求項３】
前記水石鹸を吐出する吐水部と前記水石鹸タンクとの間にホースが配索され、
前記投入口から前記ゴミ箱に向かう前記廃棄物の投入路を取り囲むガイド部材が設けられ、前記ガイド部材の外壁面に沿って前記ホースの配索経路が形成されていることを特徴とする請求項２に記載の水石鹸タンクの収納構造。
【発明の詳細な説明】
【技術分野】
【０００１】
本発明は、水石鹸タンクの収納構造に関する。
【背景技術】
【０００２】
特許文献１には、水回りのキャビネット内に、水石鹸を貯留する水石鹸タンクが収納された構造が開示されている。水石鹸タンクには、上端に補給口を有する水石鹸補給管が接続されている。水石鹸の補給を行うときには、キャビネットの前面パネルを開けて、補給口から水石鹸タンクに水石鹸を補給するようになっている。
【先行技術文献】
【特許文献】
【０００３】
【特許文献１】特開２０１１−１７７４２６号公報
【発明の概要】
【発明が解決しようとする課題】
【０００４】
上記の場合、水石鹸タンクが常にキャビネット内に隠ぺいされているため、水石鹸の残量確認をし忘れることがあった。仮に、うっかり水石鹸が枯渇すると、慌てて水石鹸を水石鹸タンクに補充したり購入したりしなければならず、利便性、作業性及びメンテナンス性の観点から問題があった。
【０００５】
本発明は上記のような事情に基づいて完成されたものであって、水石鹸の残量の確認忘れを防止し、メンテナンス性などの向上を図ることが可能な水石鹸タンクの収納構造を提供することを目的とする。
【課題を解決するための手段】
【０００６】
本発明は、水石鹸を貯留する水石鹸タンクの収納構造であって、前記水石鹸タンクが、消耗品又は／及び廃棄物を収納し、開閉扉を有する収納部に収納されているところに特徴を有する。
【発明の効果】
【０００７】
収納部には消耗品又は／及び廃棄物が収納されるため、これらを補充、廃棄する必要性から開閉扉が日常的に開け閉めされ、開閉扉の開放時に、同じく収納部に収納されている水石鹸タンクも自ずと目に入るという事情がある。したがって、消耗品又は／及び廃棄物を補充、廃棄する度に水石鹸タンク内の水石鹸の残量を確認することができ、うっかり水石鹸が枯渇してしまう事態を回避することができる。なお、消耗品としては、トイレットペーパーや洗剤などが挙げられ、廃棄物としては、紙おむつなどが挙げられる。
【図面の簡単な説明】
【０００８】
【図１】本発明の実施例１の水石鹸タンクの収納構造を含むトイレルームの斜視図である。
【図２】水石鹸タンク及びゴミ箱が収納部に収納された状態とホースの配索経路を示す正面図である。
【図３】収納部の側面図である。
【図４】収納部に設置された水石鹸タンクの断面図である。
【図５】開閉扉が半開放位置にある状態を示す側面図である。
【発明を実施するための形態】
【０００９】
本発明の好ましい実施形態を以下に示す。  
前記水石鹸を吐出する吐水部と前記水石鹸タンクとの間にホースが配索され、前記収納部に、前記廃棄物を受けるゴミ箱が収納され、前記ゴミ箱の上方に、前記廃棄物を投入するための投入口が前方に向けて開口するように設けられ、さらに、前記投入口から前記ゴミ箱に向かう前記廃棄物の投入路を取り囲むガイド部材が設けられ、前記ガイド部材の外壁面に沿って前記ホースの配索経路が形成されているとよい。これによれば、投入口から投入された廃棄物がガイド部材によってゴミ箱に確実に導かれる。また、ガイド部材の外壁面に沿ってホースの配索経路が形成されることで、ホースが収納部内で廃棄物と干渉するのを回避することができる。しかも、ホースの配索経路を規定する専用のガイド部材が不要となるため、その分、構成の簡素化を図ることができる。
【００１０】
＜実施例１＞
以下、実施例１を図面に基づいて説明する。本実施例は、多目的トイレのトイレルーム９０に設置される水石鹸タンク１０の収納構造を例示している。
【００１１】
多目的トイレのトイレルーム９０は、図１に示すように、配管などが収納される第１キャビネット９１及び第２キャビネット９２を備える。第１キャビネット９１は、箱状をなし、トイレルーム９０の第１壁面９３に設置されている。第２キャビネット９２は、第１キャビネット９１よりも一回り大きい箱状をなし、トイレルーム９０の第１壁面９３と直交する第２壁面９４に設置されている。第２キャビネット９２には、汚物流しユニット９５が設けられ、第２キャビネット９２の前面を覆うパネル９６の前面（使用者に向かう側を前側とする）に、汚物流し用ボウル９７、便器９８、背もたれ９９、跳ね上げ手すり８９及びトイレットペーパーホルダー８８が設けられている。第１キャビネット９１には、便器９８の近くに手洗い器８７が設けられ、手洗い器８７の下方において第１キャビネット９１の前面を覆うパネル８６の前面に、トイレットペーパーホルダー８５及び固定手すり８４が設けられ、便器９８から離れた位置に、手洗い器８７と横並びで隣接する洗面器８３が設けられている。
【００１２】
第１キャビネット９１の下面における手洗い器８７の下方位置には、収納部７０が付設されている。図２に示すように、収納部７０は、前側の開閉扉７１と、左右両側の一対の側壁７２と、底面側の底壁７３と、後側の後壁７４とを有し、全体として横長の矩形箱状をなしている。水石鹸タンク１０は、収納部７０に収納されている。
【００１３】
図３に示すように、収納部７０は、ボルトなどの固定具７５が取付板７６を介して第１キャビネット９１の下壁に固着されることにより、第１キャビネット９１の下面に固定される。収納部７０の底壁７３は、トイレルーム９０の床面から浮いた状態で配置される。
【００１４】
収納部７０の上面は開放されており、収納部７０の内部は、第１キャビネット９１の下面に開設された開口部８２を通して第１キャビネット９１の内部と連通している。  
収納部７０の前面は、開閉扉７１で閉止される。開閉扉７１は、横長矩形状の覆い板７７と、覆い板７７の後面の上下左右端部に取り付けられて後方に突出する４つの引掛片７８とを有している。図５に示すように、引掛片７８は、上下方向に延出して下端に開口するスリット溝７９を有している。４つの引掛片７８のうち、下側２つの引掛片７８は、上側２つの引掛片７８よりもスリット溝７９の長さが長くなっている。
【００１５】
収納部７０の両側壁７２の内面には、各引掛片７８と対応する位置に掛止ピン６９が取り付けられている。掛止ピン６９は、収納部７０の内部に向けて水平に突出している。図３に示すように、引掛片７８のスリット溝７９に掛止ピン６９が進入し、引掛片７８が掛止ピン６９に掛け止められることにより、開閉扉７１が閉状態に保持される。一方、図５に示すように、開閉扉７１が少し持ち上げられて手前側に倒されることにより、上側２つの引掛片７８が対応する掛止ピン６９から離間し、下側２つの引掛片７８が対応する掛止ピン６９に軸支された状態で、収納部７０が斜め上方に開放される。かかる半開放位置において、斜め上方から収納部７０内を覗き見ることで、後述するゴミ箱５０内の廃棄物や水石鹸タンク１０内の水石鹸の残量などを確認することができる。
【００１６】
半開放位置から開閉扉７１が手前側に引き上げられることにより、開閉扉７１が収納部７０から離脱して取り外され、収納部７０の前面全体が開放される（以下、完全開放位置という）。本実施例の場合、収納部７０の近くに便器９８が位置することに起因し、ヒンジ式の開閉扉だと便器９８と干渉する可能性があることから、このような着脱式の開閉扉７１として、便器９８との干渉を回避するものである。
【００１７】
図１及び図２に示すように、収納部７０には、水石鹸タンク１０の他、ゴミ箱５０が収納されている。ゴミ箱５０は、上面が開放された横長箱状をなし、上面以外の壁面部分に格子状の金網を張設してなる。このゴミ箱５０は、水石鹸タンク１０と近接して並びつつ収納部７０の底壁７３に載置されている。本実施例の場合、収納部７０内の収納空間のうちの半分以上の領域がゴミ箱５０で占有されている。
【００１８】
第１キャビネット９１のパネル８６には、紙おむつなどの廃棄物をゴミ箱５０に投入するための投入口４１が設けられている。投入口４１は、ゴミ箱５０の上面開口をほぼ投影した横長の開口形状をなし、ゴミ箱５０の上方で前方に向けて開放されている。
【００１９】
また、第１キャビネット９１の内部には、投入口４１から投入された廃棄物の投入路を覆うように囲むガイド部材４２が設けられている。ガイド部材４２は、投入路を画成する一方、開口部８２を通してゴミ箱５０の上面開口に臨み、かつ投入口４１に向けて開口する横長枠状をなしている。投入口４１から投入された廃棄物は、ガイド部材４２によってゴミ箱５０の内側へと確実に導かれ、ゴミ箱５０の外側に飛び出ることはない。
【００２０】
図４に示すように、水石鹸タンク１０は、内部に水石鹸を貯留する透明又は半透明の樹脂容器としてのタンク本体１１を有している。タンク本体１１は、前面のうちの上端部を除く部分と後面が上下方向に沿って平坦に配置され、前面上端部が前方へ向けて斜め下向きに傾斜して配置された形態になっている。タンク本体１１の底面は、中央部において内側に膨出する中央凹部１４を有し、中央凹部１４の周囲がほぼ水平に配置されている。水石鹸タンク１０が収納部７０に収納されると、タンク本体１１の底面が収納部７０の底壁７３に載置される。
【００２１】
タンク本体１１の上端部には、上方に突出する円筒状の接続用開口部１６が設けられ、接続用開口部１６の前方位置において斜め下向きに傾斜する前面上端部に、斜め前上方に突出する円筒状の補給用開口部１７が設けられている。補給用開口部１７は、ねじ式の補給用キャップ１８によって閉止される。水石鹸を補充する際には、補給用キャップ１８が補給用開口部１７から外され、補給用開口部１７からタンク本体１１内に水石鹸が注ぎ込まれる。
【００２２】
接続用開口部１６は、中央部に取付孔１９を有するねじ式の接続用キャップ２１によって閉止される。接続用キャップ２１と接続用開口部１６との間には接続部材２２が挟持され、接続部材２２は、取付孔１９を上下方向に貫通する接続管部２３を有している。接続管部２３のうち、取付孔１９の上方に突出する部分にはホース３０の一端部が外嵌して接続され、取付孔１９の下方に突出する部分にはチューブ３１の一端部が外嵌して接続される。また、接続管部２３には、接続用キャップ２１との間に大気連通孔３２が開口して設けられている。タンク本体１１の内部は、大気連通孔３２を通して外気に開放されている。
【００２３】
チューブ３１は、可撓性の樹脂チューブであって、タンク本体１１内において接続管部２３に接続される一端部から他端部に向けて下向きに延出している。チューブ３１の他端部は、タンク本体１１内の底部に臨み、これによって水石鹸に浸かる状態を維持することが可能となっている。
【００２４】
ホース３０は、可撓性の樹脂ホースであって、図２に示すように、一端部が接続管部２３に接続され、他端部が洗面器８３に設けられた吐水部４５に接続され、一端部から他端部にかけて第１キャビネット９１内を細長く延出して配索されている。
【００２５】
水石鹸タンク１０は、ホース３０を介して洗面器８３の吐水部４５に水石鹸を供給するものである。具体的には、吐水部４５のポンプ機構によってタンク本体１１内の水石鹸が吸い上げられ、ホース３０を通った水石鹸が吐水部４５の吐出口から洗面器８３のボウル８１に向けて吐出されるようになっている。
【００２６】
図２に示すように、ホース３０は、ガイド部材４２の上壁の外面に沿った配索経路３３を有している。配索経路３３は、左右方向に水平に延出して配置され、その延出途中に、クリップなどの固定部材４４が取り付けられている。ホース３０は、固定部材４４によってガイド部材４２に固定され、ガイド部材４２の上壁からの浮き上がりが規制される。
【００２７】
ホース３０は、配索経路３３の一端部にて下向きに屈曲させられ、ガイド部材４２の側方を通って開口部８２から収納部７０内に臨み、垂れ下がった一端部が接続管部２３に接続される。また、ホース３０は、配索経路３３の他端部から図示右側に水平に延出したあと立ち上げられ、立ち上がった他端部が吐水部４５に接続される。このように、ホース３０は、ガイド部材４２の外側に取り回しされるため、投入口４１から投入された廃棄物と干渉することはない。
【００２８】
ところで、本実施例の場合、車いすの利用者に配慮し、洗面器８３のボウル８１の下方に車いす利用者の膝部の進入を許容する逃がし空間４６を確保しているため、洗面器８３側に水石鹸タンク１０を収納する収納部を設置するのが難しいという事情がある。このため、収納部７０は上記のとおり手洗い器８７側に設置されることとなり、洗面器８３から遠くなる分、ホース３０が長くなってしまう。
【００２９】
もっとも、図１に示すように、洗面器８３に設けられた吐水部４５は汚物流しユニット９５に設けられた吐水部４７と同一形状（同一品番）になっており、仮に、ホース３０の延長を嫌って、洗面器８３にボトル式の水石鹸タンクを露出する態様で設けてしまうと、隠ぺい式の水石鹸タンク（図示しないが、汚物流しユニット９５の上キャビネット４９に収納されている）を採用する汚物流しユニット９５側と意匠の統一を図れず、美観に劣ることになる。したがって、本実施例においては、洗面器８３側と汚物流しユニット９５側のいずれも隠ぺい式の水石鹸タンクを採用しており、これによって見た目がすっきりとし、美観の向上を図れるようになっている。
【００３０】
さて、トイレルーム９０を清掃する作業者などは、ゴミ箱５０に廃棄物が溜まっていないかどうかをチェックするため、日常的に開閉扉７１を開け閉めする。ここで、日常的とは、必ずしも毎日というわけではなく、少なくとも、ゴミ箱５０内の廃棄物をチェックするメンテナンスの間隔が、水石鹸タンク１０内の水石鹸を補充するメンテナンスの間隔よりも短いという程度の意味である。言い換えれば、ゴミ箱５０内の廃棄物をチェックするメンテナンスの頻度が、水石鹸タンク１０内の水石鹸を補充するメンテナンスの頻度よりも多いということである。メンテナンスに際し、作業者は、開閉扉７１を半開放位置又は完全開放位置に開けて、ゴミ箱５０内を見ることになるが、ゴミ箱５０に隣接する水石鹸タンク１０も自ずと目に入り、廃棄物の確認と同時に、水石鹸タンク１０内の水石鹸の残量を確認することができる。このため、水石鹸の残量確認作業を注意せずとも高頻度で行うことができる。また、作業者などにとっては、水石鹸の残量確認作業と廃棄物の確認作業を、開閉扉７１を開ける一度の操作で賄うことができるため、作業効率が良く、作業を円滑に進めることができる。
【００３１】
水石鹸の残量確認の結果、水石鹸が補充必要な程度に減少していれば、補給用キャップ１８を開け、水石鹸タンク１０を取り出して、水石鹸タンク１０に水石鹸を必要量補充し、改めて補給用キャップ１８を閉めればよい。
【００３２】
以上説明したように、本実施例によれば、作業者などがゴミ箱５０内の廃棄物を確認する度に、水石鹸タンク１０内の水石鹸の残量を同時に確認することができるため、水石鹸が枯渇してしまう事態を回避することができる。したがって、本実施例によれば、作業者などの点検時における利便性、作業性及びメンテナンス性の向上を図ることができる。
【００３３】
また、本実施例においては、水石鹸を吐出する吐水部４５と水石鹸タンク１０との間にホース３０が配索され、収納部７０に、廃棄物を受けるゴミ箱５０が収納され、ゴミ箱５０の上方に、廃棄物を投入するための投入口４１が前方に向けて開口するように設けられ、さらに、投入口４１からゴミ箱５０に向かう廃棄物の投入路を取り囲むガイド部材４２が設けられ、ガイド部材４２の外壁面に沿ってホース３０の配索経路３３が形成されている構成になっている。このような構成であれば、投入口４１から投入された廃棄物がガイド部材４２によってゴミ箱５０に確実に導かれるとともに、廃棄物がホース３０と干渉するのを回避することができる。また、ガイド部材４２が、廃棄物をゴミ箱５０に導く機能と、ホース３０の配索経路３３を規定する機能とをあわせ持つため、それぞれの機能毎に専用部材を用意する必要がなく、全体の構成を簡素にすることができて、第１キャビネット９１内のスペース効率を良好なものにすることができる。
【００３４】
＜他の実施例＞
以下、他の実施例を簡単に説明する。  
（１）実施例１においては特有形状のゴミ箱が収納部内に固定して設けられていたが、これに限らず、市販のゴミ箱やゴミ袋などが収納部内の底壁に単に載せられているだけでもよい。
（２）収納部内に投棄される廃棄物としては、紙おむつに限らず、紙パンツなど種々の使い捨て物品を挙げることができる。  
（３）ゴミ箱の中に、例えば、仕切りが設けられ、仕切りを挟んだ両側のうち、一方側の空間部に廃棄物が投入され、他方側の空間部に水石鹸タンクが収容される構成であってもよい。
（４）収納部には、廃棄物に代えて、消耗品が収納されていてもよい。消耗品としては、消耗度を日常的にチェックするものであるのが好ましく、例えば、トイレットペーパー、掃除用洗剤などの洗剤、衛生用品、メンテナンス用の部品などを挙げることができる。
本発明の場合、消耗品や廃棄物の確認と同時に水石鹸の残量確認を行うことができればよいため、補充、廃棄する頻度が水石鹸の消費スピード（補充頻度）を上回るような消耗品、廃棄物であるとよい。  
（５）収納部には、消耗品と廃棄物（詳細には廃棄物を溜めるゴミ箱など）が一緒に収納されていてもよい。  
（６）開閉扉は、収納部の開口部分に対し、横方向などにスライドして開閉可能となるものであってもよい。また、開閉扉は、収納部の開口部分に対し、ヒンジを介して開閉可能となるものであってもよい。  
（７）本発明は、多目的トイレに限らず、汚物流しユニットを有しない一般のトイレに適用可能であり、さらに、トイレに限らず、専用の洗面器、専用の手洗い器、台所、浴室などの他の水回り設備に適用可能である。
【符号の説明】
【００３５】
１０…水石鹸タンク
３０…ホース
３３…配索経路
４１…投入口
４２…ガイド部材
４３…配索経路
４５…吐水部
５０…ゴミ箱
７０…収納部
７１…開閉扉
【図１】
0006710445.tif 000002
【図２】
0006710445.tif 000003
【図３】
0006710445.tif 000004
【図４】
0006710445.tif 000005
【図５】
0006710445.tif 000006